(57)【要約】【課題】ユーザのストレスを低減可能な、デジタル放送の送信装置を提供すること。【解決手段】送信装置は、入力されたストリームデータを、第１の変調方式で変調する伝送路符号化部１０２と、第１の変調方式に関する伝送パラメータを含みかつリザーブ領域を有する付加情報と、文字データとを受け取り、該付加情報のリザーブ領域に該文字データを格納し、さらに、１シンボルで表現可能なビット数が第１の変調方式よりも少ない第２の変調方式で、文字データが格納された付加情報を変調する付加情報符号化部１０３と、第１の変調方式で変調されたストリームデータと、第２の変調方式で変調された付加情報とをマルチキャリア変調するマルチキャリア変調部１０４とを備える。【選択図】図１
2007336435.tif 000002
【特許請求の範囲】
【請求項１】
入力されたストリームデータを、第１の変調方式で変調する伝送路符号化部と、
前記第１の変調方式に関する伝送パラメータを含みかつリザーブ領域を有する付加情報と、文字データとを受け取り、該付加情報のリザーブ領域に該文字データを格納し、さらに、１シンボルで表現可能なビット数が前記第１の変調方式よりも少ない第２の変調方式で、文字データが格納された付加情報を変調する付加情報符号化部と、
前記第１の変調方式で変調されたストリームデータと、前記第２の変調方式で変調された付加情報とをマルチキャリア変調するマルチキャリア変調部とを備える、送信装置。
【請求項２】
第１の変調方式で変調されたストリームデータと、１シンボルで表現可能なビット数が該第１の変調方式よりも少ない第２の変調方式で変調され、所定領域に文字データが格納される付加情報とがマルチキャリア変調された伝送信号を受信するアンテナ部と、
前記アンテナ部で受信された伝送信号に含まれる付加情報に格納される文字データをデコードする文字情報デコード部と、
前記文字情報デコード部でデコードされた文字データが表す文字を出力する映像出力部とを備える、受信装置。
【請求項３】
前記文字情報デコード部は、前記伝送信号の受信状態が悪くなると、前記付加情報内の文字データのデコードを行う、請求項２に記載の受信装置。
【請求項４】
前記受信装置は、前記伝送信号の受信状態の良否を判定し、受信状態が良い場合に、前記ストリームデータに多重される映像データ、音声データ又は文字データを復号し、受信状態が悪い場合に、前記文字情報デコード部に指示を与えるデコード部をさらに備え、
前記文字情報デコード部は、前記デコード部からの指示に応答して、前記付加情報内の文字データのデコードを行う、請求項３に記載の受信装置。
【発明の詳細な説明】
【技術分野】
【０００１】
本発明は、デジタル放送の送信装置及び受信装置に関する。
【背景技術】
【０００２】
近年、デジタル化された番組データを放送するデジタル放送と、その受信機とが急速に普及してきている。特に日本のデジタル放送方式では、据え置き型受信端末向けのハイビジョン放送と、携帯電話又は車載用ナビゲーション等の移動受信端末向けの通称１セグメント放送とが開始されている。デジタル放送では、マルチパス等、対ノイズ性能向上のためにマルチキャリア伝送方式であるＯＦＤＭ（Orthogonal Frequency Division Multiplexing）でデータが送信されている。また、シンボル間干渉又はノイズを軽減するためにガードインターバルと呼ばれる一定時間間隔の信号がＯＦＤＭのシンボルに付加されている。マルチキャリア伝送方式を用いた送信方法では、単一搬送波で送信する場合と比較して、シンボルの表現時間が長くなる。さらにガードインターバルを設けることでマルチパスによる干渉影響を抑圧するので伝送時劣化を小さくすることができる。さらに、１セグメント放送は、ハイビジョン放送と比較し、１シンボルの表現ビット数を下げることで、ノイズ耐性を高くしている。さらに移動受信環境での利用を考慮している１セグメント放送では文字サービスが考えられており、音声を出せなくとも文字をユーザに提供することができる（例えば、非特許文献１を参照）。
【０００３】
【非特許文献１】［地上デジタル放送の伝送方式  ＡＲＩＢ  ＴＲ−Ｂ１４  ２．６版］（社団法人電波産業界，平成１４年１月２４日  策定，平成１７年１１月３０日  ２．６改定）
【発明の開示】
【発明が解決しようとする課題】
【０００４】
しかしながら、たとえ、ノイズ耐性について１セグメント放送がハイビジョン放送よりも高くとも、受信装置が移動しながら１セグメント放送を受信すると、受信状況が悪くなり、受信装置から映像及び／又は音声の出力が止まってしまう場合がある。このような状態が長期間続いたり、断続的に複数回起きたりすると、ユーザはストレスを感じてしまうという問題がある。
【０００５】
それ故に、本発明の目的は、ユーザのストレスを低減可能な、デジタル放送の送信装置及び受信装置を提供することである。
【課題を解決するための手段】
【０００６】
上記目的を達成するために、本発明の第１の局面に係る送信装置は、入力されたストリームデータを、第１の変調方式で変調する伝送路符号化部と、第１の変調方式に関する伝送パラメータを含みかつリザーブ領域を有する付加情報と、文字データとを受け取り、該付加情報のリザーブ領域に該文字データを格納し、さらに、１シンボルで表現可能なビット数が第１の変調方式よりも少ない第２の変調方式で、文字データが格納された付加情報を変調する付加情報符号化部と、第１の変調方式で変調されたストリームデータと、第２の変調方式で変調された付加情報とをマルチキャリア変調するマルチキャリア変調部とを備える。
【０００７】
また、本発明の第２の局面に係る受信装置は、第１の変調方式で変調されたストリームデータと、１シンボルで表現可能なビット数が該第１の変調方式よりも少ない第２の変調方式で変調され、所定領域に文字データが格納される付加情報とがマルチキャリア変調された伝送信号を受信するアンテナ部と、アンテナ部で受信された伝送信号に含まれる付加情報に格納される文字データをデコードする文字情報デコード部と、文字情報デコード部でデコードされた文字データが表す文字を出力する映像出力部とを備える。
【発明の効果】
【０００８】
本発明によれば、送信装置は、１シンボルで表現可能なビット数が第１の変調方式よりも少ない第２の変調方式で変調される付加情報の所定領域に文字データを挿入し伝送する。マルチキャリア伝送では、１シンボルでの表現可能なビット数が少なくなるほど、伝送データのノイズ耐性が高くなる。また、受信装置は、ノイズ耐性の高い文字データを再生し出力する。そのため、受信装置は、受信状況が悪くなっても、少なくとも文字データを再生し出力できる。これによって、ユーザのストレスを軽減することが可能となる。
【発明を実施するための最良の形態】
【０００９】
以下、本発明の実施形態のデジタル放送の送信装置及び受信装置について、図面を用いて説明する。
【００１０】
（第１の実施形態）
図１は、第１の実施形態に係る送信装置の全体構成を示すブロック図である。図１において、送信装置は、符号化部１００と、多重化部１０１と、伝送路符号化部１０２と、付加情報符号化部１０３と、マルチキャリア変調部１０４とを備えている。
【００１１】
符号化部１００には、少なくとも、映像データ、音声データ及び文字データが入力される。ここで、映像及び音声の組み合わせは、例えば、デジタル放送される番組を構成し、文字は、例えば１セグメント放送用の字幕サービス等に用いられる。符号化部１００は、入力された映像データ、音声データ及び文字データをエンコードして、映像のデータストリーム、音声のデータストリーム及び文字のデータストリームを生成する。
【００１２】
多重化部１０１は、符号化部１００から少なくとも映像データストリーム、音声データストリーム及び文字データストリームを受け取り、受け取った３種のデータストリームを１つのストリームデータに多重化する。
【００１３】
伝送路符号化部１０２は、多重化部１０１からストリームデータを受け取り、受け取ったストリームデータに対して、キャリア変調及びエラー訂正処理を含む伝送路符号化処理を行って、符号化したストリームデータをマルチキャリア変調部１０４に送る。
【００１４】
本実施形態では、ＯＦＤＭ等のマルチキャリア伝送方式を用いてストリームデータが放送される。このような放送波を受信装置で移動受信する場合、電界変動及びドップラーシフトによる影響、又は刻一刻と変化するマルチパスの影響がある。従って、受信レベルのＳ／Ｎ（Signal to Noise）比によって変化するＢＥＲ（Bit Error Rate）は刻一刻と変化する。もし受信装置の受信環境が悪化した場合、ＢＥＲが著しく高くなり、ストリームデータを正しく受信できなくなる。このような受信環境の変化による影響を軽減するために、マルチキャリア伝送方式におけるキャリア変調方式をダイナミックに変更する手法がとられる場合がある。このようなキャリア変調方式の代表的な方式としては、ＢＰＳＫ（Binary Phase Shift Keying）、ＤＢＰＳＫ（Differential Binary Phase Shift Keying）、ＱＰＳＫ（Quadrature Phase Shift Keying）、ＤＱＰＳＫ（Differential ＱＰＳＫ）、１６ＱＡＭ（１６ Quadrature Amplitude Modulation）及び６４ＱＡＭがある。これらは位相と振幅の組み合わせを決め、各組み合わせに対応するビット列を決定する。ＢＰＳＫでは０、１の２値を表現できるため１シンボルで表現できる情報量は１ビットとなる。ＱＰＳＫでは４値を表現できるため１シンボルで表現できる情報量は２ビットとなる。１６ＱＡＭでは４ビット、６４ＱＡＭでは６ビットがそれぞれ表現可能となっている。
【００１５】
各キャリア変調方式については、１シンボルで表現できる情報量とノイズ耐性とはトレードオフの関係にあるため、送信装置は、受信装置側の受信環境が良好な場合には１シンボルで表現できる情報量が多いキャリア変調方式に、受信環境が悪化した場合には１シンボルで表現できる情報量が少ないキャリア変調方式に切り替えることよって動的なデータ伝送を実現している。
【００１６】
また、マルチキャリア伝送方式で用いられる複数のキャリアを一定帯域幅で分割し、各帯域幅に異なるキャリア変調方式を適用し、データ伝送を実現する手法もある。
【００１７】
なお、以下の説明では、伝送路符号化部１０２で用いられるキャリア変調方式を、第１のキャリア変調方式という。第１のキャリア変調方式の代表的な方式は、ＱＰＳＫ、ＤＱＰＳＫ、１６ＱＡＭ及び６４ＱＡＭがある。伝送路符号化部１０２は、これらのうち、所定のキャリア変調方式で、ストリームデータを変調する。
【００１８】
また、文字データは、符号化部１００だけでなく、付加情報符号化部１０３にも入力される。また、付加情報符号化部１０３には、伝送路符号化部１０２で実行されるキャリア変調及びエラー訂正処理等を指定するいくつかの伝送パラメータを含む付加情報が入力される。付加情報は、データフォーマットが予め定められており、所定の格納領域に伝送パラメータ等が格納されている。また、付加情報の予め定められたビット位置には、予約された格納領域、つまり、未使用のリザーブ領域がある。付加情報符号化部１０３は、未使用のリザーブ領域に、入力された文字データを格納する。付加情報符号化部１０３は、文字データが格納済みの付加情報を、上記第１のキャリア変調方式とは別のキャリア変調方式（以下、「第２のキャリア変調方式」という。）で変調して、変調した付加情報をマルチキャリア変調部１０４に与える。
【００１９】
ここで、第２のキャリア変調方式の代表的な方式は、ＤＢＰＳＫがある。第２のキャリア変調方式は、第１のキャリア変調方式よりも１シンボルで表現できるビット数が少ないため、シンボル間の距離があり、ノイズによる誤りが発生しにくい。少なくともこのような相違により、データ再生時に受信装置側で知る必要のある重要な伝送パラメータと、文字データとを含む付加情報とは、上述のストリームデータよりもノイズに対する耐性が高くなる。
【００２０】
上記のような第１の変調方式及び第２の変調方式の相違により、受信装置は、ストリームデータのＢＥＲが高くなり、ストリームデータを正しく復調できない場合であっても、付加情報を正しく復調できる場合が多い。
【００２１】
マルチキャリア変調部１０４は、受け取ったストリームデータ及び付加情報を、電波として送信するためにＯＦＤＭ等のようなマルチキャリア伝送方式で変調し、最後に、ＩＦＦＴ（Inverse Fast Fourier Transform）などの周波数変換を行って、伝送信号を生成する。このような伝送信号は、図示しないアンテナから空間に送出され、以下に説明する受信装置により受信される。
【００２２】
図２は、第１の実施形態に係る受信装置の全体構成を示すブロック図である。図２において、受信装置は、アンテナ２００と接続されるチューナ２０１と、復調部２０２と、文字情報デコード部２０４を含むデコード部２０３と、オーディオ出力装置２０５と、ビデオ出力装置２０６とを備える。
【００２３】
アンテナ２００は、図１に示す送信装置により送出された伝送信号を受信する。チューナ２０１は、アンテナ２００が受信した伝送信号から、例えばユーザにより指定されたチャンネルに割り当てられた帯域に含まれる信号を取り出して、復調部２０２に出力する。復調部２０２は、チューナ２０１からの出力信号をデジタルデータに復調する。デコード部２０３は、復調部２０２から出力されたデジタルデータを復号して、復号結果に含まれる付加情報に従って、ストリームデータに含まれる音声データ、映像データ及び文字データを再生する。オーディオ出力装置２０５は、再生された音声データに基づく音声を出力し、ビデオ出力装置２０６は、再生された映像データ又は文字データを出力する。
【００２４】
付加情報は、文字情報デコード部２０４にも与えられる。文字情報デコード部２０４は、例えば受信装置の受信環境が劣化して、文字データが正しく復号されない場合には、付加情報のリザーブ領域に含まれる文字データを再生する。ビデオ出力装置２０６は、文字情報デコード部２０４で再生された文字データが表す文字を出力する。
【００２５】
具体的には、デコード部２０３は、復調部２０２からデコード部２０３に別途送信されるエラーパケット情報を基にストリームデータのエラーレートを算出する。デコード部２０３は、算出されたエラーレートと、所定の閾値とを比較することで、受信装置の受信環境、つまり、ストリームデータを正しくデコードできるか否かを判定する。ストリームデータを正しくデコードできないと判定すると、デコード部２０３は、ストリームデータのデコードを停止すると共に、文字情報デコード部２０４に、文字データの再生を指示する。この再生指示に応答して、文字情報デコード部２０４は、上述の付加情報のリザーブ領域に含まれる文字データの再生を行う。なお、エラーレートの代わりに、受信電界レベルを基に、受信装置の受信環境が判定されてもよい。
【００２６】
このように、本実施形態では、送信装置が、付加情報のリザーブ領域に文字データを挿入する。また、受信装置は、受信環境が悪化した場合、ノイズ耐性の高い第２の変調方式で変調されている付加情報に挿入される文字データを再生し出力する。これによって、受信装置から映像及び／又は音声の出力が止まるような場合に、文字データを再生し出力するので、ユーザのストレスを軽減する効果を有する送信装置及び受信装置を提供することができる。
【００２７】
なお、上述では、文字データそのものがリザーブ領域に格納されるとして説明したが、これに限らず、符号化部１００が出力する文字データストリームがリザーブ領域に格納されても構わない。また、リザーブ領域に格納可能なデータ量は相対的に少ないので、文字データそのもの、又は文字データストリームは、図示しないデータ圧縮部によりデータ圧縮された後に、付加情報符号化部１０３に与えられても構わない。
【００２８】
（第２の実施形態）
次に、本発明の第２の実施形態について説明する。第２の実施形態は、第１の実施形態の送信装置及び受信装置を、日本の地上デジタル放送で行われているいわゆる１セグメント放送向けにしたものである。日本の地上デジタル放送では、図３に示すように、テレビ放送１チャンネル分の周波数帯域幅Ｗｂである６ＭＨｚが１３の区画に分割される。分割された各区画はセグメントと呼ばれる。図３中の１３セグメントの中央の搬送波帯域Ｗｃを使用した放送は、「１セグメント放送」と呼ばれ、移動受信可能な受信装置（携帯電話、車載用テレビジョン受像機など）での再生を主に想定している。以上については、［地上デジタル放送の伝送方式  ＡＲＩＢ  ＳＴＤ−Ｂ３１．１．５版］（社団法人電波産業界，平成１１年５月３１日  策定，平成１５年７月２９日  １．５改定）に詳細に記されている。また、図３には、後述のアンテナ４１１の受信帯域Ｗａも示されている。
【００２９】
１セグメント放送では、トランスポートストリーム（Transport Stream、以下、単に「ＴＳ」という。）化された映像データ及び音声データ等がＯＦＤＭ信号にマルチキャリア変調され、伝送信号として放送されている。なお、ＯＦＤＭ信号には、文字データが含まれる場合もある。
【００３０】
図４は、第２の実施形態に係る送信装置の全体構成を示すブロック図である、図４において、送信装置は、伝送路符号化部３００と、ＴＭＣＣ情報符号化部３０１と、ＯＦＤＭセグメントフレーム生成部３０２と、ＩＦＦＴ部３０３と、ガードインターバル付加部３０４と、周波数変換部３０５とを備えている。
【００３１】
伝送路符号化部３００は、入力されたＴＳに対して、バイトビット処理、エネルギー拡散処理、遅延補正処理ビットバイト処理、バイトインターリブ処理、畳み込み符号化処理、キャリア変調処理、階層合成処理、時間インタリーブ処理、周波数インタリーブ処理を行って、符号化ＴＳを生成する。生成された符号化ＴＳはＯＦＤＭセグメントフレーム生成部３０２に出力される。なお、伝送路符号化部３００の処理において、キャリア変調処理に関しては、前述の第１のキャリア変調方式に従って行われる。その他の処理に関しては周知であるため、それぞれの説明を省略する。
【００３２】
ＴＭＣＣ情報符号化部３０１には、第１の実施形態と同様の文字データが入力される。ＴＭＣＣ情報符号化部３０１にはさらに、第１の実施形態における付加情報に相当するＴＭＣＣ（Transmission and Multiplexing Configuration Control）情報が入力される。ＴＭＣＣ情報は、第１のキャリア変調方式、畳み込み符号化率、地上デジタル放送であるかどうかを示す情報等を含んでいる。具体的には、ＴＭＣＣ情報は、図５に示すように、１０２ビットで構成されており、１２ビットの未使用のリザーブ領域を有する。ＴＭＣＣ情報符号化部３０１は、入力された文字データをリザーブ領域に格納する。
【００３３】
また、ＴＭＣＣ情報を受信できないと受信装置側は伝送信号を復調できない。そのため、文字データが格納されたＴＭＣＣ情報は、伝送路上でのノイズ耐性を高めるため、前述の第２のキャリア変調方式の典型例としてのＤＢＰＳＫで、ＴＭＣＣ情報符号化部３０１により変調された後、ＯＦＤＭセグメントフレーム生成部３０２に出力される。
【００３４】
ＯＦＤＭセグメントフレーム生成部３０２は、１セグメントのデータ受信に必要なパイロット信号を、入力された符号化ＴＳに挿入し、さらに符号化ＴＳの所定領域に、入力されたＴＭＣＣ情報を挿入して、ＯＦＤＭセグメントフレームを生成する。なお、２００ｍｓｅｃでＴＭＣＣが１回挿入されるとすると、ＴＭＣＣ内のリザーブ領域を用いることで最大６０ｂｐｓの文字データの伝送が可能となる。
【００３５】
なお、文字データが６０ｂｐｓを超えてリザーブ領域に収まりきらない場合には、例えば、ＴＭＣＣ情報符号化部３０１は、所定のデータ圧縮手法により圧縮した文字データをリザーブ領域に格納しても構わない。また、ＴＭＣＣ情報符号化部３０１は、文字データの伝送レートが６０ｂｐｓ以下になるのであれば、ＴＳに元々含まれる文字データの文字コード体系とは異なる文字コード体系で表現されているが、同一の意味を持つ別の文字データをリザーブ領域に格納しても構わない。
【００３６】
ＩＦＦＴ部３０３は、ＯＦＤＭセグメントフレームにＩＦＦＴ処理を行って、各キャリアを変調した信号（以下、「マルチキャリア変調信号」という。）を一括して作り出す。ガードインターバル付加部３０４は、マルチキャリア変調信号にガードインターバルを付加する。また、周波数変換部３０５は、ガードインターバルが付加されたマルチキャリア変調信号の周波数をアップコンバートして、図示しないアンテナから伝送信号として空間に送出する。この伝送信号は、以下に説明する受信装置により受信される。
【００３７】
図６は、第２の実施形態に係る受信装置の全体構成を示すブロック図である。図６において、受信装置は、受信部４１０と、デコード部４２０と、音声を出力するオーディオ出力装置４３０と、映像及び文字を出力するビデオ出力装置４４０と、処理中のデータを保存するメモリ４５０と、文字再生に必要なフォントデータを格納するフォントデータ格納部４６０とを備える。
【００３８】
受信部４１０は、受信帯域Ｗａ（図３参照）に含まれる伝送信号を受信するアンテナ４１１と接続され、アンテナ４１１の受信信号から所定の帯域（例えば、図３の周波数帯域Ｗｂ）に含まれる信号を取り出すチューナ４１２と、復調部４１３とを含む。復調部４１３は、チューナ４１２の出力信号から、まずＴＳの復調に必要なＴＭＣＣ情報を取り出し復調した後、ＴＭＣＣ情報に基づいてＴＳの復調を開始する。復調されたＴＳは、デコード部４２０に出力される。
【００３９】
デコード部４２０は、入力されたＴＳを復号して、映像データ及び音声データを再生する。そのために、デコード部４２０は、ＴＳ分離部４２１と、オーディオデコーダ４２２と、ビデオデコーダ４２３と、文字デコーダ４２４と、オーディオデータ管理部４２５と、ビデオデータ管理部４２６と、デコード処理管理部４２７とを含む。
【００４０】
ＴＳ分離部４２１は、ＴＳに多重されている音声データ及び映像データを分離する。また、ＴＳ分離部４２１は、ＴＳに文字データが多重されている場合には、文字データも分離する。そして、ＴＳ分離部４２１は、分離した音声データをオーディオデコーダ４２２に、分離した映像データをビデオデコーダ４２３に、分離した文字データを文字デコーダ４２４に分配する。
【００４１】
オーディオデコーダ４２２は、圧縮されている音声データを伸張した後、オーディオデータ管理部４２５にデータを渡し、ビデオデコーダ４２３は、圧縮されている映像データを伸張した後、ビデオデータ管理部４２６に映像プレーンを渡す。また、文字デコーダ４２４は、入力された文字データと、フォントデータ格納部４６０に格納されるフォントデータを用いて文字プレーンを生成した後、ビデオデータ管理部４２６に渡す。
【００４２】
ビデオデータ管理部４２６は、複数のプレーン（つまり、典型的には映像プレーンと文字プレーン）を受け取った場合には、これらプレーンを重ね合わせてビデオ出力装置４４０に出力する。オーディオデータ管理部４２５は、受け取った音声データをオーディオ出力装置４３０に出力する。これによって、ビデオ出力装置４４０から映像が出力され、オーディオ出力装置４３０から音声が出力される。なお、デコード処理管理部４２７は、これら一連の処理を管理している。
【００４３】
次に、本実施形態に特有な「リザーブ領域の文字データ再生」について説明する。復調部４１３はさらに、ＴＭＣＣ情報のリザーブ領域に格納されている文字データを文字デコーダ４２４に送信する。
【００４４】
文字デコーダ４２４は、デコード処理管理部４２７又はＴＳ分離部４２１からの指示に従い、ＴＳ内の文字データを復号するか、ＴＭＣＣ情報に含まれている文字データを復号するかを決定する。いずれの文字データを復号するかは、デコード部４２０が、第１の実施形態のデコード部２０３と同様にして判定するので、その詳細な説明を省略する。現在の受信環境が悪いとデコード部４２０が判定すると、オーディオデコーダ４２２及びビデオデコーダ４２３は処理を停止するともに、デコード部４２０は文字デコーダ４２４に、リザーブ領域の文字データの再生を指示する。この再生指示に応答して、文字デコーダ４２４は、復調部４１３から受け取った文字データと、フォントデータ格納部４６０に格納されるフォントデータを用いて文字プレーンを生成した後、ビデオデータ管理部４２６に渡す。この場合、ビデオデータ管理部４２６は、文字デコーダ４２４からの文字プレーンをビデオ出力装置４４０に出力する。これによって、ビデオ出力装置４４０から文字が出力される。なお、これらの処理もデコード処理管理部４２７により管理される。
【００４５】
このように、本実施形態では、ＴＭＣＣ情報のリザーブ領域を使うことで、日本の地上デジタル放送においても第１の実施形態と同様の効果を得ることが可能となる。
【００４６】
なお、上述では、復調部４１３が文字データを文字デコーダ４２４に出力するとして説明した。他にも、復調部４１３がＴＭＣＣのリザーブ領域に格納されている文字データをＴＳに多重した後、ＴＳ分離部４２１に送信し、ＴＳ分離部４２１が文字データを分離後、文字デコーダ４２４に送信してもよい。また、復調部４１３がＴＭＣＣのリザーブ領域に格納されている文字データをそのままＴＳ分離部４２１に送信し、ＴＳ分離部４２１がＴＭＣＣのリザーブ領域に格納されている文字データを分離して、文字デコーダ４２４に送信してもよい。
【産業上の利用可能性】
【００４７】
本発明に係る受信装置は、デジタル放送を受信可能で、ユーザのストレスを低減可能な効果が要求される携帯電話又は車載用テレビジョン受像機等に好適である。
【図面の簡単な説明】
【００４８】
【図１】本発明の第１の実施形態に係る送信装置の全体構成を示すブロック図
【図２】本発明の第１の実施形態に係る受信装置の全体構成を示すブロック図
【図３】日本の地上デジタル放送におけるセグメントの概要を示す模式図
【図４】本発明の第２の実施形態に係る送信装置の全体構成を示すブロック図
【図５】日本の地上デジタル放送におけるＴＭＣＣ情報のビット割当てを示す模式図
【図６】本発明の第２の実施形態に係る受信装置の全体構成を示すブロック図
【符号の説明】
【００４９】
１００  符号化部
１０１  多重化部
１０２，３００  伝送路符号化部
１０３  付加情報符号化部
１０４  マルチキャリア変調部
２００，４１１  アンテナ
２０１，４１２  チューナ
２０２，４１３  復調部
２０３，４２０  デコード部
２０４  文字情報デコード部
２０５，４３０  オーディオ出力装置
２０６，４４０  ビデオ出力装置
３０１  ＴＭＣＣ情報符号化部
３０２  ＯＦＤＭセグメントフレーム生成部
３０３  ＩＦＦＴ部
３０４  ガードインターバル付加部
３０５  周波数変換部
４２１  ＴＳ分離部
４２２  オーディオデコーダ
４２３  ビデオデコーダ
４２４  文字デコーダ
４２５  オーディオデータ管理部
４２６  ビデオデータ管理部
４２７  デコード処理管理部
【図１】
2007336435.tif 000003
【図２】
2007336435.tif 000004
【図３】
2007336435.tif 000005
【図４】
2007336435.tif 000006
【図５】
2007336435.tif 000007
【図６】
2007336435.tif 000008